(57)【要約】【課題】伝熱性能を向上させるとともに、複数の流体間においても熱交換を可能にする使用性の高い蓄熱装置を提供すること。【解決手段】蓄熱剤４と、前記蓄熱剤４の内部に充填され前記蓄熱剤４よりも熱伝導率の大きい材料によって形成されている伝熱促進材５とを備え、前記伝熱促進材５は少なくとも一部にプリーツ状部または波状部を有することを特徴とするもので、前記伝熱促進材５の少なくとも一部にプリーツ状部または波状部を形成することで、伝熱促進材５を蓄熱剤４の内部に多く充填でき、蓄熱剤４の伝熱性能を向上させ、蓄熱剤４をより有効的に活用することができるものである。つまり、一定のスペースに高密度に伝熱促進材５を配設することができ、蓄熱剤４の利用率を向上させるものである。【選択図】図１
2007225219.tif 000002
【特許請求の範囲】
【請求項１】
蓄熱剤と、前記蓄熱剤の内部に充填され前記蓄熱剤よりも熱伝導率の大きい材料によって形成されている伝熱促進材とを備え、前記伝熱促進材は少なくとも一部にプリーツ状部または波状部を有することを特徴とする蓄熱装置。
【請求項２】
伝熱促進材は、網状でシート状に加工された部材から形成されていることを特徴とする請求項１記載の蓄熱装置。
【請求項３】
加熱流体、被加熱流体の通路を備え、前記加熱流体の通路、前記被加熱流体の通路は、各々が蓄熱剤を介して対向するように配設されているとともに、前記伝熱促進材の曲げ部が前記加熱流体と前記被加熱流体における熱の伝達方向に対して略対向するように、前記伝熱促進材を配設したことを特徴とする請求項１または２記載の蓄熱装置。
【請求項４】
加熱流体、被加熱流体の通路を備え、前記加熱流体の通路、前記被加熱流体の通路は、伝熱壁を挟み各々が蓄熱剤を介して対向するように配設されているとともに、前記伝熱壁と前記伝熱促進材とを接合したことを特徴とする請求項１〜３のいずれか１項に記載の蓄熱装置。
【請求項５】
加熱流体、被加熱流体の通路を備え、前記加熱流体の通路、前記被加熱流体の通路は、各々が蓄熱剤を介して対向するように配設されていることを特徴とする蓄熱装置。
【請求項６】
蓄熱剤の内部に充填され前記蓄熱剤よりも熱伝導率の大きい材料によって形成されている伝熱促進材を有することを特徴とする請求項５記載の蓄熱装置。
【請求項７】
伝熱促進材が、綿状の材料で形成されていることを特徴とする請求項６に記載の蓄熱装置。
【発明の詳細な説明】
【技術分野】
【０００１】
本発明は、蓄熱装置に関するものである。
【背景技術】
【０００２】
蓄熱を行う方法として、非蓄熱時には固体となり蓄熱時には液体となる潜熱蓄熱剤の相変化を利用した蓄熱装置は良く知られており、この潜熱蓄熱剤をカプセル状の容器内に充填した蓄熱カプセルと被加熱流体を熱交換させることにより、蓄熱・放熱を行う装置はすでに実用化されている。
【０００３】
ここで、被加熱流体とカプセル自体との間の伝熱抵抗に比べて、カプセル内で固化する潜熱蓄熱剤の伝熱抵抗は一般的に大きいため、蓄熱カプセルとしての性能を向上させるためには潜熱蓄熱剤自体の熱伝導を向上させる必要がある。
【０００４】
この課題を解決するために、蓄熱カプセル内部に充填されている潜熱蓄熱剤に熱伝導率の大きい金属製の金網または線材を混合することで蓄熱カプセルの伝熱性能を向上させようとする試みが示されている（例えば、特許文献１参照）。
【特許文献１】特開平６−２８１３７１号公報
【発明の開示】
【発明が解決しようとする課題】
【０００５】
しかしながら、上記従来の蓄熱カプセルでは、金網または線材の充填を不規則に行っているため、その設置方向等によっては、熱交換に際して、必ずしも高効率にならない場合も考えられ、当初見込んだ伝熱性能の向上が得られないという課題がある。
【０００６】
また、蓄熱カプセルを用いた熱交換は、流路中に蓄熱カプセルを配設して行うもので、一種類の流体におけるものしか実施できないという課題もあった。
【０００７】
本発明は、前記従来の課題を解決するもので、伝熱性能を向上させるとともに、複数の流体間においても熱交換を可能にする使用性の高い蓄熱装置を提供することを目的とするものである。
【課題を解決するための手段】
【０００８】
前記従来の課題を解決するために、本発明の蓄熱装置は、蓄熱剤と、前記蓄熱剤の内部に充填され前記蓄熱剤よりも熱伝導率の大きい材料によって形成されている伝熱促進材とを備え、前記伝熱促進材は少なくとも一部にプリーツ状部または波状部を有することを特徴とするもので、前記伝熱促進材の少なくとも一部にプリーツ状部または波状部を形成することで、伝熱促進材を蓄熱剤の内部に多く充填でき、蓄熱剤の伝熱性能を向上させ、蓄熱剤をより有効的に活用することができるものである。つまり、一定のスペースに高密度に伝熱促進材を配設することができ、蓄熱剤の利用率を向上させるものである。
【０００９】
また、本発明の蓄熱装置は、加熱流体、被加熱流体の通路を備え、前記加熱流体の通路、前記被加熱流体の通路は、各々が蓄熱剤を介して対向するように配設されていることを特徴とするもので、複数の流体間においても熱交換を可能とし、使用性を向上させるものである。
【発明の効果】
【００１０】
本発明によれば、伝熱性能を向上させるとともに、複数の流体間においても熱交換を可
能にする使用性の高い蓄熱装置を提供できる。
【発明を実施するための最良の形態】
【００１１】
第１の発明は、蓄熱剤と、前記蓄熱剤の内部に充填され前記蓄熱剤よりも熱伝導率の大きい材料によって形成されている伝熱促進材とを備え、前記伝熱促進材は少なくとも一部にプリーツ状部または波状部を有することを特徴とするもので、前記伝熱促進材の少なくとも一部にプリーツ状部または波状部を形成することで、伝熱促進材を蓄熱剤の内部に多く充填でき、蓄熱剤の伝熱性能を向上させ、蓄熱剤をより有効的に活用することができるものである。つまり、一定のスペースに高密度に伝熱促進材を配設することができ、蓄熱剤の利用率を向上させるものである。
【００１２】
第２の発明は、特に、第１の発明の伝熱促進材は、網状でシート状に加工された部材から形成されていることを特徴とするもので、伝熱促進材を収納できる寸法にて網状かつシート状に加工された構造としたことにより、潜熱蓄熱剤の充填量に与える影響を最小限に減らし、潜熱蓄熱剤と伝熱促進材との接触面積を増やすことで伝熱性能を向上させることができる。
【００１３】
第３の発明は、特に、第１または第２の発明の蓄熱装置において、加熱流体、被加熱流体の通路を備え、前記加熱流体の通路、前記被加熱流体の通路は、各々が蓄熱剤を介して対向するように配設されているとともに、前記伝熱促進材の曲げ部が前記加熱流体と前記被加熱流体における熱の伝達方向に対して略対向するように、前記伝熱促進材を配設したことを特徴とするもので、加熱流体と被加熱流体における熱の伝達方向に対して略対向するように伝熱促進材の曲げ部を配設することで、伝熱促進材の受熱面積が大きくなり、加熱流体から被加熱流体へ熱伝達する際、伝熱促進材に多量の熱が伝達されることで、蓄熱剤の伝熱性能を向上させ、蓄熱剤をより有効的に活用することができるものである。
【００１４】
第４の発明は、特に、第１〜第３のいずれかの発明の蓄熱装置において、加熱流体、被加熱流体の通路を備え、前記加熱流体の通路、前記被加熱流体の通路は、伝熱壁を挟み各々が蓄熱剤を介して対向するように配設されているとともに、前記伝熱壁と前記伝熱促進材とを接合したことを特徴とするもので、蓄熱剤と伝熱壁との熱抵抗を大幅に減少し、伝熱性能をさらに向上させることができる。
【００１５】
第５の発明は、加熱流体、被加熱流体の通路を備え、前記加熱流体の通路、前記被加熱流体の通路は、各々が蓄熱剤を介して対向するように配設されていることを特徴とする蓄熱装置で、複数の流体間においても熱交換を可能とし、使用性を向上させるものである。
【００１６】
第６の発明は、特に、第５の発明の蓄熱装置において、蓄熱剤の内部に充填され前記蓄熱剤よりも熱伝導率の大きい材料によって形成されている伝熱促進材を有することを特徴とするもので、蓄熱剤の伝熱性能を向上させ、蓄熱剤をより有効的に活用することができるものである。
【００１７】
第７の発明は、特に、第６の発明の伝熱促進材として形状が自在に変化する綿状の材料で構成された構造としたことにより、蓄熱容器内に伝熱促進材を充填する際の加工工程を簡素化することができる。
【００１８】
以下、本発明の実施の形態について、図面を参照しながら説明する。なお、本実施の形態によって本発明が限定されるものではない。
【００１９】
（実施の形態１）
図１は本発明の実施の形態１における蓄熱装置の上面断面図、図２は本発明の実施の形
態１における蓄熱装置の側面断面図、図３は本発明の実施の形態１における蓄熱システムの斜視図である。蓄熱装置１は平板状の蓄熱容器２、前記蓄熱容器２に隣接している伝熱壁３ａ及び伝熱壁３ｂ、前記蓄熱容器２と前記伝熱壁３ａ及び伝熱壁３ｂが形成する略四角形状の空間に充填されている潜熱蓄熱剤４、シート状に切断され錫メッキを施した線径０．２５mmの銅製金網を規則的に波状に加工し前記潜熱蓄熱剤４内部に充填している伝熱促進材５、前記伝熱壁３ａに隣接しており内部に潜熱蓄熱剤４を加熱する加熱流体（本実施の形態では湯）が流れる加熱流体通路６、前記伝熱壁３ｂに隣接しており内部に潜熱蓄熱剤４に蓄熱された熱を奪う被加熱流体（本実施の形態では水）が流れる被加熱流体通路７により構成される。
【００２０】
なお、加熱流体通路６、被加熱流体通路７は、各々が潜熱蓄熱剤４を介して対向するように配設されている。また、伝熱促進材５は、本実施の形態では波状に加工されているが、プリーツ状でも良い。また、この加工は伝熱促進材５の全域に施されているのが好ましいが、少なくとも一部に加工されていればよい。さらに、伝熱促進材５の波状やプリーツ状の曲げ部は、加熱流体通路６内の加熱流体から被加熱流体通路７内の被加熱流体における熱の伝達方向（図１の矢印）に対して略対向するように配設している。
【００２１】
蓄熱容器２は流体流路方向に沿って一定間隔で区切られており、蓄熱容器２間での熱移動を防止する構造としている。上記構成の蓄熱装置１はさらに幅方向及び厚み方向に積層され、大容量の蓄熱を行う蓄熱システム８として構成される。ここで、伝熱促進材５の充填量は潜熱蓄熱剤４の充填量に対して体積比率で６％であり、潜熱蓄熱剤４全体に満遍なく接触するような量を充填している。
【００２２】
この蓄熱装置１の作用を説明する。蓄熱運転を行う場合、加熱流体通路６にボイラー（図示せず）で加熱された高温の湯が流され、潜熱蓄熱剤４に蓄熱を行う。潜熱蓄熱剤４の温度が湯の温度に対して低い場合は、湯が有する熱は伝熱壁３ａを通じて潜熱蓄熱剤４に移動する。潜熱蓄熱剤４は温度が上昇するにつれて固体から液体へと相変化を行い、潜熱領域の蓄熱を行う。熱交換を行うことで温度が低下した湯は加熱流体通路６を通じてボイラーに戻され、再加熱された後、加熱流体通路６に流されるという動作を繰り返し蓄熱装置１全体に充填されている潜熱蓄熱剤４に蓄熱が行われる。
【００２３】
放熱運転を行う場合、被加熱流体通路７に水道（図示せず）から供給された低温の水が流され、潜熱蓄熱剤４に蓄熱されている熱を利用して水の加熱を行う。潜熱蓄熱剤４の温度が水の温度に対して高い場合は、潜熱蓄熱剤４の有する熱は伝熱壁３ｂを通じて水に移動する。潜熱蓄熱剤４は温度が低下するにつれて液体から固体へと相変化を行い、潜熱領域の放熱を行う。熱交換を行うことで加熱された水は被加熱流体通路７を通じて利用系に送られ風呂、シャワー等に使用される。
【００２４】
ここで、潜熱蓄熱剤４に酢酸ナトリウム系の物質を使用した場合、固体時の熱伝導率は０．５〜０．６Ｗ／ｍＫ、液体時の熱伝導率は０．６〜０．７Ｗ／ｍＫ程度であり、従来の蓄熱装置１では蓄熱運転を行う際には充分熱交換されないうちにボイラーに戻ってきてしまうことから蓄熱完了までの時間が長くなってしまうという問題があり、放熱運転を行う際には潜熱蓄熱剤４自体にはまだ利用可能な熱が残っているにもかかわらず、取り出すことができないため、必要以上の潜熱蓄熱剤４を充填しておく必要があるという問題があった。
【００２５】
このため、蓄熱性能及び放熱性能を向上させるには潜熱蓄熱剤４の伝熱性能を向上させることが必要となる。ここで、本実施の形態のように体積比率で６％の銅製の伝熱促進材５を潜熱蓄熱剤４の中に満遍なく充填すると、銅の熱伝導率は３８６Ｗ／ｍＫと非常に大きいため、潜熱蓄熱剤４と伝熱促進材５をあわせた見かけ上の熱伝導率は２５Ｗ／ｍＫと
なり、大幅に伝熱性能が改善される。これより、従来蓄熱性能、放熱性能改善のためにネックとなっていた部分の性能を向上させることができ、蓄熱装置１全体の性能を向上させることができたものである。
【００２６】
なお、本実施の形態では蓄熱運転時の加熱媒体にボイラーで加熱された湯を用いているが必ずしもこれに限定されるものではなく、ヒートポンプシステム等で加熱された冷媒を用いても何ら問題はない。
【００２７】
なお、本実施の形態に示した各種材料や数値などは必ずしもこれに限定されるものではなく、所定の役割を果たすことができるならば別の材料や数値で何ら問題はない。
【００２８】
（実施の形態２）
図４は本発明の実施の形態２における蓄熱装置の上面断面図、図５は本発明の実施の形態２における蓄熱装置の側面断面図である。伝熱促進材５が伝熱壁３ａ及び伝熱壁３ｂに対して垂直方向に規則的に折り曲げ加工され、伝熱壁３ａ及び伝熱壁３ｂと伝熱促進材５が物理的に接合されている以外は実施の形態１と同一構造である。
【００２９】
この蓄熱装置１の作用を説明する。蓄熱運転、放熱運転については実施の形態１と同一である。ここで、実施の形態１では伝熱壁３ａ及び伝熱壁３ｂと伝熱促進材５とは完全に接触しているわけではなく、間に潜熱蓄熱剤４が存在している。潜熱蓄熱剤４の熱伝導率は固体時０．５〜０．６Ｗ／ｍＫ、液体時０．６〜０．７Ｗ／ｍＫ程度と小さいため、わずかな隙間であるが伝熱性能向上のネックとなる。ここで、伝熱壁３ａ及び伝熱壁３ｂと伝熱促進材５をはんだ付け、ロウ付け等で強制的に接合すると、この間の熱抵抗が大幅に改善され、蓄熱時は時間を短縮することができ、放熱時は潜熱蓄熱剤４の持つ熱を充分に取り出すことが可能となり、蓄熱装置１全体の性能を向上させることができたものである。
【００３０】
なお、本実施の形態に示した各種材料や数値などは必ずしもこれに限定されるものではなく、所定の役割を果たすことができるならば別の材料や数値で何ら問題はない。
【００３１】
（実施の形態３）
図６は本発明の実施の形態３における蓄熱装置の上面断面図、図７は本発明の実施の形態３における蓄熱装置の側面断面図である。伝熱促進材にアルミ製の綿状金属を用いている以外は実施の形態１と同一構造である。
【００３２】
この蓄熱装置１の作用を説明する。蓄熱運転、放熱運転については実施の形態１と同一である。ここで、実施の形態１では伝熱促進材５に波状加工を行った銅製金網を使用していたが、金網状のものを潜熱蓄熱剤４に満遍なく接触させようとすると曲げ加工等、なんらかの加工工程が必要となり、蓄熱容器２の大きさ、形状等を調整しようとするとその都度伝熱促進材５の寸法を調整する必要がある。
【００３３】
ここで、金網よりも線径が細く柔らかい綿状に加工されたアルミ製の伝熱促進材５を蓄熱容器２内に満遍なく充填し、潜熱蓄熱剤４と接触するような構造とすることにより、特別な加工を必要とせず、蓄熱容器２の大きさ、形状に合わせて自在に伝熱促進材５の充填量を変更することが可能となり、特に伝熱性能を強化したい蓄熱容器２内の充填量を増やす等の自在性を高めることができる。
【００３４】
なお、本実施の形態に示した各種材料や数値などは必ずしもこれに限定されるものではなく、所定の役割を果たすことができるならば別の材料や数値で何ら問題はない。
【産業上の利用可能性】
【００３５】
以上のように、本発明にかかる蓄熱装置は、熱伝導率の低い物質の熱伝導性を向上させることが可能となるため、熱移動を促進したい装置全般に利用可能である。
【図面の簡単な説明】
【００３６】
【図１】本発明の実施の形態１における蓄熱装置の上面断面図
【図２】本発明の実施の形態１における蓄熱装置の側面断面図
【図３】本発明の実施の形態１における蓄熱システムの斜視図
【図４】本発明の実施の形態２における蓄熱装置の上面断面図
【図５】本発明の実施の形態２における蓄熱装置の側面断面図
【図６】本発明の実施の形態３における蓄熱装置の上面断面図
【図７】本発明の実施の形態３における蓄熱装置の側面断面図
【符号の説明】
【００３７】
１  蓄熱装置
２  蓄熱容器
３ａ  伝熱壁
３ｂ  伝熱壁
４  潜熱蓄熱剤
５  伝熱促進材
【図１】
2007225219.tif 000003
【図２】
2007225219.tif 000004
【図３】
2007225219.tif 000005
【図４】
2007225219.tif 000006
【図５】
2007225219.tif 000007
【図６】
2007225219.tif 000008
【図７】
2007225219.tif 000009